Podtech/llm-jp-corpus-v4-ja_patent huggingface dataset:
(57)【要約】      （修正有）【課題】目的に合ったクラブに作り変えるという手段によって、ゴルファーがクラブのどの点にボールを当てたら良いかを解決し、安心して打球の方向性と一定の飛距離を確保する。【解決手段】クラブフェースにゴルフボールが当たった時、クラブが全く回転せず、衝突の衝撃が最小になる点がスウィートスポット、つまり芯２である。また、グリップの中心とその芯を通る重心線１に沿って、フェース上でボールをぶつけると、クラブが全く回転しない。したがって、クラブフェースにその重心線と芯の位置を刻み入れるか、あるいはその位置を推測させる目印３等を入れる。【選択図】図２
2009189749.tif 000002
【特許請求の範囲】
【請求項１】
クラブフェースにスウィートスポットの目印、および、そこを通過する重心線の斜めラインを描いたゴルフクラブ全般
【請求項２】
クラブヘッドの表面にスウィートスポットおよび重心線通過位置を間接的に知らせる一定の目印を付けたゴルフクラブ全般
【請求項３】
上記請求項１，請求項２に関連する小物用品、出版物、映像商品の全て、さらに、この考えを基にして作られたスポーツ用具全般について
【発明の詳細な説明】
【発明の詳細な説明】
【技術分野】
【０００１】      この発明は、スポーツ用具・用品全般、中でも主にゴルフクラブの打点位置に関するもので、クラブに一定の目印を付けて打点位置を明示し、それによって、打球の方向性の向上と安定した飛距離の確保を目指すものである。
【背景技術】
【０００２】  従来，ゴルフクラブには、打つ方向性を示すために一定のラインや目印が描いてある。ウッド、アイアンと呼ばれるクラブフェースには、打つ方向に直角に複数の平行線であるスコアラインが描かれ、さらに上面であるクラウンやトップラインには、クラブヘッドの中心を意味すると思われる目印等が付けられている。また、パターにあっては、上面・側面に打つ方向を示す平行なラインや目印が描いてある。しかし、これらの目印やラインは、スウィートスポットの目印、および、そこを通過する重心線の斜めラインを意味するもの、あるいは推測させるものにはなっていなかった。つまり、単に打つ方向に対して垂直線あるいは平行線、さらにヘッド単体の中心位置を意味するものに過ぎなかった。
【発明が解決しようとする課題】
【０００３】  これまでのゴルフクラブに付けられた目印やラインは、スウィートスポットの目印、および、そこを通過する重心線の斜めラインを意味するもの、あるいは推測させるものにはなっていず、単に打つ方向に対して垂直線あるいは平行線、さらにヘッド単体の中心を意味するものでしかなかった。それが原因でこれまでのゴルフクラブでは、スウィートスポット、つまり芯がほとんど中心にないために打点を外して打つことが多く、用具の使い方として精度に極めて乏しかった。本発明はこの課題を解決しようとするものである。
【課題を解決するための手段】
【０００４】  ゴルフゲームは、クラブフェースとゴルフボールの衝突現象である。当然、スウィートスポット、つまり芯に当てる方が効率が良い。しかし、フェースの中心に必ずしも芯がない。その課題を解決するために、まず、その芯を探す方法を以下に示す。
ゴルフクラブのグリップ部分を指でつまみぶら下げ、クラブフェースにゴルフボール等を“ゴツンゴツン”とぶつける。この時、クラブが全く回転せず、衝突の衝撃が最小になる点が芯である。少しでもずれると、その違いは明瞭である。
さらに、「重心系の運動」という科学的観点から確かめるには、図面の図１のようにする。つまり、おもりの付いた糸をグリップの中心からぶら下げる。この時、糸がクラグフェースを通過するようにする。その時の通過線を“重心線”（図１の▲１▼）とする。一般的に、芯（図１の▲２▼）と言われる場所はその重心線上にある。また、その重心線に沿って、上記のようにボールをぶつけると、クラブが全く回転しないことが確かめられる。
そして、その重心線上でボールを打てば、方向性の安定した球になるということである。そのために、図面の図２のように、ウッド（１）、アイアン（２）、パター（３）と呼ばれるクラブのフェースにその重心線に相当するライン（図２の▲１▼）と芯（図２の▲２▼）の位置を描いて、あるいは、その目的に合ったクラブ作りをして、そこにボールを当てるというのが、課題解決の手段である。
【発明実施の形態】
【０００５】  従来のゴルフクラブは、スウィートスポット、つまり芯の位置及びそこを通る重心線に直接一定の目印を付けることはなかった。本発明は、図面の図２のように、一定の目印やラインを入れて、そこにボールを当てるようにする、あるいは、その目的に合ったクラブに作り変えるというのが、発明実施の形態である。尚、直接にゴルフクラブに一定の目印やラインを入れなくても、ゴルフクラブ上にその位置が推測できるように別途目印（図２の▲３▼）を付けたり、関連グッズで新たに一定の目印やラインを付け加えることも、この発明実施の形態に含まれる。
【発明の効果】
【０００６】  本発明は、ゴルフを行う人にクラブのどの点にボールを当てたら良いかを示し、安心して打球の方向性と一定の飛距離を確保できるという効果がある。
【図面の簡単な説明】
【図１】本発明の原理説明概念面図
【図２】本発明の使用概念面図
【符号の説明】
▲１▼重心線
▲２▼スウィートスポットあるいは芯
〔符号の説明〕
（１）ゴルフクラブのウッドのフェース面
（２）ゴルフクラブのアイアンのフェース面
（３）ゴルフクラブのパターのフェース面
▲１▼重心線
▲２▼スウィートスポットあるいは芯
▲３▼目印
【図１】
2009189749.tif 000003
【図２】
2009189749.tif 000004
(57)【要約】      （修正有）【課題】革製や布製などの柔らかい持ち手を２本有する鞄の片方の持ち手に固定し、もう一方の持ち手を簡単に挟み込むことができる形にして、鞄を持ちやすく、重い鞄であっても、長時間持つ場合も疲れないようにし、かつ、鞄の開け閉めを妨げないようにする。【解決手段】木またはプラスチックで作った堅い持ち手1を、２本のやわらかい持ち手２の片方に取り付けておき、鞄を持つときは、その堅い持ら手１の中に２本の柔らかい持ち手２を挟み込んで握るようにし、手に不均等な力や挟みつけるような力が加わらないようにする。【選択図】図１
2009189763.tif 000002
【特許請求の範囲】
【請求項１】
柔らかい持ち手が２本ある鞄の片方の持ち手を挟み込んで固定し、もう一方の持ち手を簡単に挟み込むことができる形にした硬い持ち手。
【発明の詳細な説明】
【発明の詳細な説明】
【技術分野】
【０００１】  この発明は、２本の持ち手（取っ手）を有する鞄を持ちやすく、長時間もっても疲れないようにする持ち手に関するものである。
【背景技術】
【０００２】  従来、２本の持ち手を有する鞄は、それを持つ際には、その２本の持ち手をそのまま合わせて握るか、若しくは、布や革などを巻きつけマジックテープで止めて握るだけであった。
【発明が解決しようとする課題】
【０００３】  これは次のような欠点があった。
（イ）鞄についている２本の持ち手は革製か布製であり、鞄を持つとき、その持ち手を２本合わせて握って持つことになるが、その際、持ち手の材質が柔らかいために、手に不均等な力がかかること、また、手を挟みつけるような力が加わることから、重い鞄の場合や長時間持つことが苦痛であった。
（ロ）布や革などを巻きつけマジックテープで止めて握る場合は、苦痛は多少和らげることができるが、鞄の開け閉めの妨げになるものであった。
本発明は、これらの欠点を除くためになされたものである。
【課題を解決するための手段】
【０００４】  これを次の手段で解決する。
（イ）図１に示すような木またはプラスチックで作った本発明の堅い持ち手を、２本のやわらかい持ち手の片方に取り付けておく。鞄を持つときは、図３のように、その堅い持ち手の中に２本の柔らかい持ち手を挟み込んで握るため、手に不均等な力や挟みつけるような力が加わらない。
（ロ）本発明の堅い持ち手は、図１の取り付けた断面図に示すように片方の柔らかい持ち手に固定されているが、もう一方の柔らかい持ち手は、本発明の堅い持ち手に挟まれているだけであり、図３に示すように取り外しは容易であることから、鞄の開け閉めには妨げにならない。
【発明を実施するための最良の形態】
【０００５】  以下、本発明の実施の形態について説明する。
（イ）図１に示す堅い持ち手を、「取り付けた断面図」に示すように、片方の柔らかい持ち手に木ネジ又は接着剤などで固定する。
（ロ）鞄を持つときは、図３「鞄を持つとき」のように、固定されていない柔らかい持ち手を、堅い持ち手の中に挟み込む。
（ハ）鞄を開け閉めするときは、図３「鞄を開けるとき」のように、固定されていない柔らかい持ち手を、堅い持ち手からはずす。
【発明の効果】
【０００６】  本発明は、持ち手を堅くすることによって、手に不均等な力が加わらないようにし、長時間鞄を持つことや、重い鞄を持つことの不快感や苦痛を和らげている。さらに、その持ち手の形を、２本の柔らかい持ち手を挟み込む形状とすることにより、鞄を持つことと、鞄の開け閉めをしやすく、スムーズにしている。
また、堅い持ち手を使うことにより、鞄の型崩れを防ぐことができる。
【図面の簡単な説明】
【図１】本発明の、平面図、断面図、取り付けたときの断面図である。
【図２】本発明の斜視図である。
【図３】本発明を鞄に取り付けた図である。鞄を持つときの、柔らかい持ち手を本発明に挟み込んだ図と、鞄を開け閉めするために、柔らかい持ち手の一方をはずした図を示している。
【符号の説明】
１  堅い持ち手（本発明）      ２  柔らかい持ち手
３  鞄
【図１】
2009189763.tif 000003
【図２】
2009189763.tif 000004
【図３】
2009189763.tif 000005
(57)【要約】      （修正有）【課題】満員電車での通勤時や警備員、ガソリンスタンド従業員と立ち仕事の人々はほんの５分１０分の間、腰を預けるだけで疲れがやわらぐ。本来の立ったままの姿勢をくずさず座れる椅子を提供する。【解決手段】自転車のサドルを伸縮自在な直径２０ミリ程度の鉄あるいはステンレス製のパイプ（長さ６０〜８０センチメートル）に取り付け、立ったまま座れる椅子とした。【選択図】図１
2009189762.tif 000002
【特許請求の範囲】
【請求項１】
自転車のサドルをスライドする径２０ミリ程度の鉄あるいはステンレス制パイプ（長さ６０〜８０ｃｍ）に取り付け立ったまま座れる椅子とした。
【発明の詳細な説明】
【技術分野】
【０００１】この発明は椅子である【０００２】従来の椅子は中腰で座る事のみを考えてきたが直立で立っていても腰をささえるだけで安息を得られる。【０００３】スライドする脚をつける事により各人の股下の長さに調節できるようにした。
【図面の簡単な説明】
【符号の説明】
【図１】
寸法をわざと省略したが長さは７０〜９０ｃｍ位パイプの径は２０ｍｍ位である。
サドルは細いほうが良くスポーツ用自転車のサドルが最適と思われる。
【図１】
2009189762.tif 000003
(57)【要約】【課題】      通常使用される正規格のバドミントンラケットの形状は、大きいため持ち運びにくく、広い空間での使用しかできず、また強度的にも弱かった。【解決手段】      グリップとシャフトの一部だけでバドミントンラケットを構成する。【選択図】図１
2009189769.tif 000002
【特許請求の範囲】
【請求項１】
グリップとキャップ、シャフトの一部で構成されたことを特徴とするバドミントンラケット。
【請求項２】
グリップとキャップ、シャフトの一部で構成され、またそれを使用したときの重量感等の感覚が通常使用される正規格のバドミントンラケットと近いバドミントンラケット。
【発明の詳細な説明】
【技術分野】
【０００１】  この発明は、バドミントンで使用する用具に関するものである。
【背景技術】
【０００２】  従来のバドミントンラケットは、図２に示すように、グリップ８にキャップ９がついており、キャップ９にシャフト１０、シャフト１０にフレーム１１がついているものである。また、グリップ８は木製である。
【発明の開示】
【発明が解決しようとする課題】
【０００３】  しかしながら、以上のバドミントンラケットは図３に示すシャトルコックを打つために設計されたものであり、素振り用に設計されたものではなかったため、以上のバドミントンラケットを使うためには広い空間が必要であった。また、持ち運びにも不便であった。
そこで、この発明は、小型で、狭い空間でも使用でき、使用したときに通常使用される正規格のバドミントンラケットと近い重量感等の感覚を使用者に提供し、持ち運びに便利なバドミントンラケットを提供することを課題とする。
【課題を解決するための手段】
【０００４】  以上の課題を解決するために、第一発明は、グリップとキャップ、シャフトの一部で構成されたことを特徴とするバドミントンラケットである。
また、第二発明は、バドミントンラケットのグリップを合成樹脂（または木）および金属で構成されていることを特徴とする。
【発明の効果】
【０００５】  以上の発明によれば、バドミントンラケットが小型になったので、狭い空間でも使用することができ、持ち運びが便利になった。また、グリップを合成樹脂（または木）および金属で、重量感等の感覚が通常使用される正規格のバドミントンラケットと近くなった。
【発明を実施するための最良の形態】
【０００６】  この発明の一実施形態を図１に示す。
バドミントンラケットのグリップ１は、中に金属２が入っており、外に合成樹脂（または木）３がある。そしてその外にグリップテープ４が巻かれている。グリップエンド４およびキャップ５は合成樹脂で作られており、シャフト６は金属製である。シャフトの長さは通常使用されるときに握られる程度の長さ（３〜５センチ程度）とする。シャフトの先はゴム製のカバー７で覆う。グリップの形状は、通常使用されるバドミントンラケットのグリップの形状と同じにし、グリップの口径も通常使用されるバドミントンラケットと同じように３段階作る。【０００７】「実施形態の効果」
この実施形態によれは、シャフトの先をゴム製のカバー７の働きで、シャフトの先に人、物がぶつかっても怪我をしなくてすみ、傷をつけずにすむ。
【図面の簡単な説明】
【０００８】
【図１】  この発明の一実施形態を示す斜視図である。
【図２】  従来のバドミントンラケット
【図３】  シャトルコック
【符号の説明】
【０００９】１  グリップ                            ２  グリップの金属部分
３  グリップの合成樹脂（または木）部分  ４  グリップエンド
５  キャップ                            ６  シャフト
７  カバー                              ８  グリップ
９  キャップ                          １０  シャフト
１１  フレーム
【図１】
2009189769.tif 000003
【図２】
2009189769.tif 000004
【図３】
2009189769.tif 000005
(57)【要約】【課題】    被清掃面の状況に合わせて、きめ細かく対応出来、持ち運びにおいても容易に運ぶ事の出来るブラシを提供する。【解決手段】    扇状ブラシ８個をホルダリングに取り付ける事により、清掃ポリッシャー用のリング状ブラシを形成する。【選択図】図２
2009189770.tif 000002
【特許請求の範囲】
【請求項１】
糸の埋め込まれた扇形状のブラシ複数個を円状に配置し、リング状ブラシを形成する、清掃ポリッシャー用のブラシ。
【発明の詳細な説明】
【発明の詳細な説明】
【技術分野】
【０００１】  この発明は、清掃ポリッシャーに使用されるブラシに関するものである。
【背景技術】
【０００２】  従来の清掃ポリッシャーに使用されるブラシは、リング状に加工されたベース板に研磨材付き糸等を植え付けていた。
１ケのリング状ブラシに太さ（番手）の異なる糸２種類をドーナツ状に一定のパターンで植え付けたタイプもある。
清掃作業においては、被清掃面の段差、汚れ具合等、現場の状況に合わせてブラシを選択し、作業中においても、ブラシの交換を行う。
このため、リング状ブラシの種類を出来るだけ多く現場へ持参しなければならないのであるが、現在提供されているブラシでは、糸の植え込みパターンの種類に限りがあるため、被清掃面の状態にきめ細かく対応させる事は出来ない。
また、リング状ブラシは、直径４００ｍｍ位、糸の長さを含めた厚さは６０ｍｍ位、重さ約２Ｋｇある。
これを数多く持ち運ぶ場合、容積が大きくなり、重量も重くなるため、車への積み下ろしや、作業現場まで運ぶのに苦労を要する。
また、清掃個所は１階、２階等複数になる事が普通で、その都度これを運ばなければならない。
【発明が解決しようとする課題】
【０００３】  本発明では、被清掃面の状況に合わせて、きめ細かく対応出来、持ち運びにおいても容易に運ぶ事の出来るブラシを提供する事を目的とした。
【課題を解決するための手段】
【０００４】  本発明は、リング状ブラシを放射状に切り代１５ｍｍにて８分割した扇状ブラシ８個と、これをリング状に配置固定するホルダリングで構成される。
【発明を実施するための最良の形態】
【０００５】  図１において、本発明では角度４５度の扇状ブロック（１ａ）はリングを放射状に８分割し各個の隙間が１５ｍｍとなる扇形となっている。
図２及び図３において、糸（２）は一部省略している。
扇状ブロック（１ａ）には直径８ｍｍ位の束にされた糸（２）が、一定のパターンで、約７０箇所植え込まれている。
扇状ブロック（１ａ）の糸（２）が植え込まれた面と反対側の面には、取り付け用の爪（１ｂ）と脱着溝（１ｃ）及び固定溝（１ｄ）が設けられている。脱着溝（１ｃ）と固定溝（１ｄ）は繋がって掘り込まれている。
本発明において扇状ブロック（１ａ）と糸（２）とで一体とし、扇状ブラシ（３）とした。
ホルダリング（４）はリング状の円板で、片面にガイド（５ａ）が同一円周上等間隔に８個所固着されている。
ガイド（５ａ）にはフック（５ｂ）が設けられている。
扇状ブラシ（３）８個を、ホルダリング（４）の８箇所あるガイド（５ａ）部にそれぞれ取り付ける事により、清掃ポリッシャーに取り付けられるリング状ブラシを形成する。
図４及び図５において、扇状ブラシ（３）をホルダリング（４）に取り付ける手順を説明する図で糸（２）は省略してある。
扇状ブラシ（３）の脱着溝（１ｃ）部をガイド（５ａ）に嵌め込み、扇状ブラシ（３）を外周方向へスライドさせて扇状ブロック（１ａ）の爪（１ｂ）をフック（５ｂ）に挿入させる。
扇状ブラシ（３）を図５における左方向へ押し、固定溝（１ｄ）をフック（５ｂ）に嵌め込む。
これにより８個の扇状ブラシ（３）が同一円周上に等間隔で配置されホルダリング（４）と共にリング状ブラシを形成する。
取り外す場合は上記と逆の手順で行えば良いので、簡単に脱着出来る。
現在ブラシ直径の異なる清掃ポリッシャーが数種類提供されているため、本発明においては分割数をそれぞれの直径に合わせて最適な分割数に設定する事で、それぞれの清掃ポリッシャーに対応するリング状ブラシを提供する事が出来る。
【発明の効果】
【０００６】  この発明は、前記の様に扇状ブラシ複数個でリング状ブラシを形成するため、糸の番手の異なる扇状ブラシや、糸の植え込みパターンの異なる扇状ブラシを作っておけば、組み合わせを変える事により、いろいろなタイプのリング状ブラシを現場で形成する事が可能となり、現場の状況に合わせてきめ細かく対応する事ができる。
また、扇状ブラシ間に隙間がある事により、糸どうしの干渉を和らげ段差のある被清掃面に対し清掃効果が上昇する。
従来のリング状ブラシでは、いろいろなタイプのリング状ブラシを持ち運ばなければならないが種類には限りがありきめ細かな対応はできない。
また本発明による扇状ブラシでは、単体にするとちいさくなり、ホルダリングは１個で間に合うため、全体の容積が小さくなるため持ち運びにおいても従来のリング状ブラシを沢山持ち運ぶ事に比べはるかに楽である。
またブラシの一部分が破損した場合、従来はリング状ブラシを廃棄、交換しなければならないが、扇状ブラシではその単体のみを交換すれば良いので、費用的に安くなる。
上述の如く本発明による扇状ブラシでは、現場の状況にきめ細かく対応出来るため、清掃作業の効率が非常によくなる。
また持ち運びも楽になるため、全体の効率もよくなる。
また扇状ブラシは単体でも、手作業用ブラシとして使用可能なため、清掃ポリッシャーでは清掃出来ない角部なども、扇状ブラシを用いて手作業で清掃出来る。
このため手作業用ブラシを持ち歩く必要がない。
【図面の簡単な説明】
【図１】本発明による扇状ブロックの正面図
【図２】本発明の正面図
【図３】本発明の側面断面図
【図４】本発明によるブラシの取り付け手順の第一段階を説明する正面図
【図５】本発明によるブラシの取り付け手順の第二段階を説明する正面図
【符号の説明】
１ａ  扇状ブロック              ３    扇状ブラシ
１ｂ  爪                        ４    ホルダリング
１ｃ  脱着溝                    ５ａ  ガイド
１ｄ  固定溝                    ５ｂ  フック
２    糸
【図１】
2009189770.tif 000003
【図２】
2009189770.tif 000004
【図３】
2009189770.tif 000005
【図４】
2009189770.tif 000006
【図５】
2009189770.tif 000007
(57)【要約】      （修正有）【課題】簡易温湯器の湯冷却をさけるため、電熱加温による一定温度で継続加温により、構成物質のゼオライト成形材に含浸させるＥＭ有用微生物の活性化を特徴とした加温器を提供する。【解決手段】加温器内に１対のベルトヒーター６を銅板３の上面に接着し、ステンレス金網５両面に組み込み、銅板３に点溶接で固定する。上部にパライト樹脂７により固定する。加温時、上面にゼオライト含浸マット９を装着することを特徴とする足加温器。【選択図】図１
2009189755.tif 000002
【特許請求の範囲】
【請求項１】
本発明はＥＭ含浸加温器内のベルトヒーターの加温による加温器に関するものである。
【発明の詳細な説明】
【発明の詳細なる説明】
【技術分野】
【０００１】この発明はＥＭ含浸加温器内の底面に配列した、シリコンの絶縁体で覆われた発熱体が、高い保水性のある多孔性成材に微生物培養液を含侵させ、３５度以下で加温し、含浸のＥＭ有用菌の活性化を行い、抗酸化物質の生長を促進させながら加温提供に関するものである。
【背景技術】
【０００２】従来の温湯足加温器においては給湯によい保温時間限定の保温を得た。
【発明が解決しようとする課題】
【０００３】これは次のような欠点があった。
（１）温湯加温器にあっては温湯が熱源であり、経過時間に伴い湯温降下の発生により度々安眠を妨げられる。本発明は、この様な欠点をなくすためになされたものである。
【課題を解決するための手段】
【０００４】本発明による加温器による加温作用は、気孔率３８％の多孔質成形域に含浸された、有用微生物の作用と安定加温で、安眠が継続でき、数回の使用で本器の使用中止も可能とした。
【発明実施の形態】
【０００５】以下本発明の実施の形態について説明する。加温器本体に組込まれた発熱体（６）の上面に、ゼオライト含浸材（９）を敷込み、ゼオライトＥＭ含浸マット（１１）を配し、発熱体の設定発生温度がＥＭ微生物の育成を助長させ連続的に加熱維持して高い信頼性を実現することを特徴とする。
【発明の効果】
【０００６】このような構成で加温器の多孔質含浸材を加温し有用微生物の抗酸化作用の増進を計り、適度の加温継続ができ、安眠が得られる信頼性の高い加温器である。
【図面の簡単な説明】
【０００７】
【図１】本発明の分解斜視図である。
【図２】本発明の断面図である。
【符号の説明】
【０００８】１    ポリエチレンシート
２    プチルゴム
３    銅板
４    ポリエチレン
５    金属メッシュ
６    発熱体
７    防水樹脂
８    ポリエチレンシート
９    ゼオライト含浸マット
１０  リード線
１１  含浸マット
【図１】
2009189755.tif 000003
【図２】
2009189755.tif 000004
(57)【要約】      （修正有）【課題】読書時に、開いたページが戻らないようにして、手で押さえる煩わしさを解消できる書見台を提供する。【解決手段】クリップ中間板８上に支点軸１０にバネ６を巻きつけ、開閉するクリップ上板２中央に伸縮金具４を設け、先端にローラー状の挟み部３を設ける。また、クリップ中間板８下に支点軸９にバネ７を巻きつけ、開閉するクリップ下板１の後方下にマグネットを設ける。【選択図】図１
2009189759.tif 000002
【特許請求の範囲】
【請求項１】
クリップを上下二重にし、本の端を挟持する為に開閉自在に設け、クリップ中間板に下板クリップを設け、上板クリップの先端にロールを設け、その中間に伸縮金具を設け、本のページを押さえるようにし、下板のクリップにマグネットを設けた書見台。
【発明の詳細な説明】
【技術分野】
【０００１】  本発明は、読書時に、ページが戻らない様、本の端にクリップを付ける書見台に関するものである。
【背景技術】
【０００２】  従来、本を読むとき、手で本を押さえて、ページを捲っていた。
【発明の開示】
【発明が解決しようとする課題】
【０００３】  そのために、次のような問題点があった。
（イ）本を読むとき、開いたページを読んでいる間、手で押さえていなければならない。
（ロ）手を離したとき、読んでいた箇所が閉じてしまう。
本発明は、以上の問題点を解決するためになされたものである。
【課題を解決するための手段】
【０００４】  本の両端に、二重クリップを取り付ける。上部のクリップに先端ローラーを設け、前後に伸縮する下部のクリップにマグネットを設ける。以上を特徴とする書見台である。
【発明の効果】
【０００５】  本を読んでいる間、手で押さえる煩わしさが解消され、手で押さえなくても、読んでいるページが開いたままである。上部の先端にローラーを設けているので、ページの出し入れがスムーズにできる。また、下部にはマグネットを設けているので、スチール机などには固定でき、マグネットがつかない場所でも重みでページが開いたままであるので、便利で煩わしさが解消された。
【発明を実施するための最良の形態】
【０００６】  以下、本発明の実施の形態について説明する。
（イ）クリップ中間板（８）上、支点軸（１０）にバネ（６）を巻きつけ、開閉するクリップ上板（２）中央に伸縮金具（４）を設け、先端にローラー状の挟み部（３）を設ける。
（ロ）クリップ中間部（８）下、支点軸（９）にバネ（７）を巻きつけ、開閉するクリップ下板（１）後方下にマグネットを設ける。
本発明は、以上のような構成で、これを使用するときは、クリップ下板（１）で本の表紙を挟み、クリップ上板（２）でページを挟み、ページの厚みにより、伸縮金具（４）で前後の調整をし、ローラー部（３）でページ上部を押さえる。
【図面の簡単な説明】
【０００７】
【図１】本発明の斜視図
【図２】本発明の使用状態を示す斜視図
【符号の説明】
【０００８】  １  クリップ下板
２  クリップ上板
３  ローラー部
４  伸縮金具
５  マグネット
６  バネ
７  バネ
８  クリップ中間板
９  支点軸
１０  支点軸
【図１】
2009189759.tif 000003
【図２】
2009189759.tif 000004
(57)【要約】【課題】  従来は氷の交換するために一度氷嚢を取り外し中の水を捨て新たに氷と水を補給していた為に交換の度、患者の体勢を変えたり不必要に起こさなかればならなかった。【解決手段】  冷凍庫にて冷却した熱源ユニット（Ａ）を設けることによりチューブ（Ｆ）を差し込むだけでよく交換したユニットは再度、冷凍庫で冷却し何度でも利用できる。そうする事により患者に触れること無く新たに冷媒を供給し冷却作用を維持することが出来る。又最適な温度を維持する為に流量を調整（図３）できる様に手動式の３方弁（Ｊ）を設け必要な冷熱量だけを取り出せる様にした。【選択図】図２
2009189757.tif 000002
【特許請求の範囲】
【請求項１】
従来の熱冷ましは氷嚢や水枕・ジェル状のしシートといった冷えたものを頭に乗せるだけのものであったが今回の発明は患部に直接冷却マットへ冷熱源ユニットによって冷水を供給・循環させるという全く新しい方式の熱冷まし機。
【請求項２】
氷嚢や水枕では氷が融け水温が上がり効能がなくなれば一度、取り外し新しく入れ直さなかればならなかったが、今回の発明は患部には触れず冷熱源側のユニットを交換するだけでよく、利用者への負担が無い熱冷まし機。
【請求項３】
患部へ当てがうバッグの形状を変えれば発熱時の頭部・頸部・脇の冷却だけでなく足首・手首などの捻挫にも利用でき利便性の高い熱冷まし機。
【発明の詳細な説明】
【技術分野】
【０００１】  この発明は氷嚢や水枕に代わるものである。
【背景技術】
【０００２】  従来は氷と水を詰めただけの氷嚢や水枕など直接患部へあてがうだけの物であった。
【発明の開示】
【発明が解決しようとする課題】
【０００３】  しかし、それらの方法では効能がきれたときに体をを起こしたり体勢を変えるなど患者に対する負担や中身の充填をやり直すなど手間が多かったことと限られた使い方や場所も限定されていた。そこで、この発明のより患者への負担や手間の大幅な軽減や用途や使用範囲の拡充を図り利便性の向上を図る事を目的とする。
【課題を解決する為の手段】
【０００４】  以上の課題を解決する為に第一発明に冷熱源とポンプを別途設けチューブで接続した事である。
また、第二発明は患部にあてがう冷却バッグの形状を使用患部に合わせ作成し利用することである。
【発明の効果】
【０００５】  第一発明・第二発明により冷熱源ユニットを設け効能が下がった時にはユニット側の交換をするだけで新たな冷水を供給でき、氷や水を入れ替えたりの手間を省き患者を起こしたり体勢を帰るなどの負担も軽減。
また、患部にあてがう冷水マットの形状を頭部・頸部・脇・手首や足首等、患部の形状にあわせ作成する事により発熱時だけではなく捻挫などの冷却にも対応できる。更に冷水熱源ユニットはクーラーボックスにて保冷した状態であれば屋外活動での利用にも対応でき、利便性の高いものである。
【発明を実施する為の最良の形態】
【０００６】  この発明の実施形態を図−１・２・３に示す。
冷熱源ユニットに水を封入し更に循環ポンプを内蔵。ユニット化し冷凍冷却しておく。ユニット内に熱交換器を設けこの中を塩化ナトリウム水溶液等の不凍液を循環させる。
【０００７】  熱交換器により冷却された水溶液はユニットに接続したチューブを通り患部を冷やす冷却バッグに送られる。
【０００８】  冷却バックは患部に適した形状に製作し利用範囲を頭部に限定するのではなく、手首、や足首など捻挫などへの利用も可能とした。
【０００９】  患部の状態や場所により適正な冷却能力を供給する為に手動式の調整弁を設け利用者自身で必要とするの冷水の供給量を調整できるようにした。
【図面の簡単な説明】
【００１０】
【図１】システム全体の構成を示す平面図
【図２】実際に使用した場合のイメージ図
【図３】流量を調整する為のシステム図
【符号の説明】
【００１１】Ａ：冷却熱源ユニット本体（熱源となる水を封入）
Ｂ：熱交換器
Ｃ：内蔵循環ポンプ
Ｄ：差込式カプラ
Ｅ：冷却バック
Ｆ：冷媒チューブ
Ｇ：水
Ｈ：冷媒の流れ方向を示す
Ｉ：人体頭部
Ｊ：手動式３方弁
Ｋ：冷却マットへ流れる方向を示す
Ｌ：ポンプに戻る方向を示す
Ｍ：バイパス管
【図１】
2009189757.tif 000003
【図２】
2009189757.tif 000004
【図３】
2009189757.tif 000005
(57)【要約】      （修正有）【課題】従来４人までしかプレイ不可能であったテニスゲームを５人以上プレイ可能にする。【解決手段】放射状に複数の区画に分割した円形テニスグランド１の中央に円を描くようにポール２を配置して、テニスラケットでゴムボールを打ち合う。【選択図】図２
2009189754.tif 000002
【特許請求の範囲】
【請求項１】
ポールテニスのスポーツとしての著作権
【請求項２】
ポールテニスのゲームとしての著作権
【請求項３】
ポールテニスのアニメとしての著作権
【請求項４】
ポールテニスのマンガとしての著作権
【請求項５】
ポールテニスのドラマとしての著作権
【請求項６】
ポールテニスの映画としての著作権
【請求項７】
ポールテニスのルールとしての著作権
【請求項８】
ポールテニスの構造
【発明の詳細な説明】
【技術分野】
【０００１】ゲームソフト
【背景技術】
【０００２】従来のテニスでは４人までしか出来ませんでした。
【発明の開示】
【発明が解決しようとする課題】
【０００３】５人以上で出来るようにすること。
【課題を解決するための手段】
【０００４】テニスグランド１の中央に円を描くようにポール２を配置して、固定します。
テニスグランド１の中央に円を描くように配置したポール２の間へ、テニスラケット３でゴムボール４を打ち込み、相手のグランドエリア５に入れます。
そうやってテニスのように打ち合います。
ポールに当ててもかまいません、相手のグランドエリア５に入ればよいのです。
ただし、ポールの頭上をこえると失点となります。
【発明の効果】
【０００５】５人以上で遊べます。
【発明を実施するための最良の形態】
【０００６】
【図面の簡単な説明】
【０００７】
【図１】側面図  ポールテニス
【図２】平面図  ポールテニス
【符号の説明】
【０００８】１テニスグランド
２ポール
３テニスラケット
４ゴムボール
５グランドエリア
【図１】
2009189754.tif 000003
【図２】
2009189754.tif 000004
(57)【要約】【課題】水の酸化還元電位は測定すると高く、水質としては酸化力が強い水として問題点を持つ。酸化力が強い水は給水管や給湯管等の腐食を早め、食品加工分野でも抽出効率に大きな課題を持ち洗浄力にも劣る。【解決手段】本発明は、課題を持つ水の酸化還元電位を下げる装置と方法を特徴としている。二酸化チタンと白金を混合し塗付した固形体の焼成品と、磁石が充填されている水の酸化還元電位を下げる装置で酸化力が強い水を、各分野の課題である腐食対策、抽出効率の高さ、洗浄力に優れた水に改質する。 【選択図】    図１
2009189898.tif 000002
【特許請求の範囲】
【請求項１】
二酸化チタンと白金を混合し塗付した固形体の焼成品と磁石が充填されている水の酸化還元電位を下げる装置。
【請求項２】
請求項１記載の装置を水槽に浸漬させて水の酸化還元電位を下げる方法。
【請求項３】
水槽に循環用の配管系を付設し、該配管系に請求１項の水の酸化還元電位を下げる装置を組み込んだ水の改質水の供給装置と方法。      
【請求項４】
水槽にエアレーション装置と請求項３記載の循環系と水槽からの流出系に酸化還元電位計測装置と酸化還元電位計測装置からの入力を得て、その値によってエアレーション装置又は請求項３記載の循環装置を運転することにより水槽流出水の酸化還元電位を所望の値に保つ改質水の供給装置。            
【発明の詳細な説明】
【技術分野】
【０００１】
本発明は、水の酸化還元電位を下げる装置と方法に関する。
【背景技術】
【０００２】
水道水の配管は時間の経過で配管内面が腐食して赤錆が発生する。その原因を抑える為次の方法がある。
イ  消石灰、ポリリン酸等の薬剤を水に添加し配管内面に被膜を作る方法。
ロ  配管内面に樹脂塗料で被膜を形成する方法。
ハ  水溶液中の溶存酸素を除去する方法。
ニ  水のPH値、水の酸化還元電位を上昇させ不動態被膜を形成させる方法に、特許第1740331号/N型半導体を用いた赤錆防止方法。
【０００３】
中小加工食品工場では出汁の抽出方法を、家庭で出汁を取るように鍋や圧力鍋を使用している。
【０００４】
洗浄分野では洗浄剤が中心で使用され、他には超音波装置等も組み合わせで洗浄されている。
【発明の開示】
【発明が解決しようとする課題】
【０００５】
（イ）薬剤による方法は、飲料水等は味が変わり人体に何らかの影響を与える。
【０００６】
（ロ）配管に樹脂塗料で被膜を形成する場合には、工事に要する時間がかかり配管接続部分の被膜形成は完全に出来ない。又ある期間が経過すると不完全な被膜形成から赤錆が発生する。
【０００７】
（ハ）水の溶存酸素を除く方法は、設置場所と設備が大きく複雑になる。
【０００８】
（二）触媒でPH値、酸化還元電位を上昇させる方法が特徴であるが、酸化還元電位の上昇は全くなかった。
【０００９】
抽出方法は、抽出効率の低さとエネルギーの無駄が多い。
【００１０】
洗浄方法は洗浄剤使用が中心で超音波等の装置と組み合わせるのもあるが、洗浄剤等の過度の使用は排水処理費用に影響を与え、環境問題に悪影響を与える。
【課題を解決するための手段】
【００１１】
本発明は二酸化チタンと白金を固形体に塗付し高温で数時間焼成した焼成品と、磁石を充填し水が通過する時、水の酸化還元電位を下げる装置とそれを用いる方法を特徴とする。
【発明の効果】
【００１２】
本発明は、焼成品のＰtとチタニアの触媒作用と組み込まれた磁石の磁場のエネルギーを酸化還元電位に変換し、水の酸化還元電位が高い水である腐食性が強い水を腐食性が低い酸化還元電位に下げる。
【００１３】
磁石だけで循環させたが水の酸化還元電位は全く変化がなく、焼成品のPｔとチタニアの触媒作用だけでも水の酸化還元電位の変化は上昇下降も全くなく、磁石と焼成品との組み合わせこそ水の酸化還元電位を大きく下げた。
｛発明を実施する為の最良の形態｝
【００１４】
ステンレス製容器の中に磁石と焼成品を充填し、配管で水槽に接続してポンプで循環させ水の酸化還元電位をさげる。
水槽の水にはエアレーション装置並びに酸化還元電位測定器が設けられ、水槽の水は循環ラインに設けられたポンプで循環し操作指示盤に設定された酸化還元電位設定値になると、循環ポンプ並びにエアレーションは止まり、水槽内の水は排水されるように酸化還元電位設定値を操作指示盤に入力して水の改質が行われ、水の入れ換えが行われる。以下のような成績が得られた。                                                
【実施例】
【００１５】
【表１】
2009189898.tif 000003
【図面の簡単な説明】
【００１６】
【図１】本発明の水の酸化還元電位を下げる装置の断面図である。
【図２】本発明の酸化還元電位を下げる装置を用いた方法である。
【符号の説明】
【００１７】
１：焼成品
２：磁石
３：出口止め金網
４：ステンレス製容器
５：入り口アミ取り付け
６：ステンレス製入り口フタ
７：ステンレス製出口フタ
８：水の酸化還元電位を下げる装置
９：酸化還元電位設定値入力他、操作指示盤
１０：ポンプ
１１：エアレーション
１２：ポンプ
１３：配管
１４：配管
１５：酸化還元電位測定器
１６：バルブ
１７：配管
１８：貯水槽
１９：電極
２０：回路
【図１】
2009189898.tif 000004
【図２】
2009189898.tif 000005
(57)【要約】      （修正有）【課題】寝ていて、首のコリを取り、頭痛や眼精疲労を軽減する為に、環椎後頭関節の可動性を広げる必要があった。【解決手段】上向きに寝て、アーチ状になった三角形の一辺に環椎後頭関節を当て、左右に首を回すことにより、首のコリは緩む。【選択図】図１
2009189852.tif 000002
【特許請求の範囲】
【請求項１】
三角柱の形で、その一辺はアーチ状になっており、その部分に環椎後頭関節を当て、頭痛や眼精疲労を軽減する枕。
【発明の詳細な説明】
【技術分野】
【０００１】  本発明は、頭痛や眼精疲労を軽減する枕に関するものである。
【背景技術】
【０００２】  従来、頸椎全体の彎曲にあった枕はあった。
【発明の概要】
【発明が解決しようとする課題】
【０００３】  寝ていて、首のコリを取り、頭痛や眼精疲労を軽減する為に、環椎後頭関節の可動性を広げる必要があった。
【課題を解決するための手段】
【０００４】  上向きに寝て、アーチ状になった三角形の一辺に環椎後頭関節を当て、左右に首を回すことにより、首のコリは緩む。
【発明の効果】
【０００５】  環椎後頭関節が当たる三角柱の一辺をアーチ状にすることで、首を回すと、急速に頭痛や眼精疲労は軽減する。
【図面の簡単な説明】
【０００６】
【図１】本発明の斜視図である。
【図２】本発明の側面図である。
【発明を実施するための形態】
【実施例】
【０００７】  以下、本発明の実施の形態について説明する。
三角柱の一面は平面にして、床に接地する。
他の二面は凸状と凹状になる。
上にくる一辺はアーチ状になる。
そのアーチの形状は、環椎後頭関節を左右に回旋するのに適する形状にする。
環椎後頭関節が当たる部位は、痛くないように丸く角を取っておく。
高さは環椎後頭関節が伸展しやすい高さにする。
【図１】
2009189852.tif 000003
【図２】
2009189852.tif 000004
(57)【要約】      （修正有）【課題】ゴルフのパットにおいてボールを打つ際の打点の高さや、ソールの傾き、打球の転がりに影響を及ぼすパターヘッドの重量を調整可能なパターヘッドを提案する。【解決手段】パターヘッド本体１はソール３の部分に着脱式のアタッチメント２を取り付け可能にし、ゴルファーの好みの厚み、重さのヴァリエーションの中から選択した該アタッチメント２に取り変えることにより打点の高さ、パターヘッドの重量、ライ角の調整を可能にする。【選択図】図１
2009189687.tif 000002
【特許請求の範囲】
【請求項１】
着脱式のアタッチメントをパターの下部に取り付け可能なパターヘッド。
【請求項２】
パターヘッドのソールに螺子、磁石、スライド方式などにより取り付けるパターヘッドのソールとグリーン面との高さを調整可能で  なおかつ  各材質の比重の差によりパターヘッド本体の重さを調節する様々な厚みと重量のアタッチメントのセット。
【請求項３】
パターヘッドのソールに取り付ける事により  その厚みの傾斜により地面とパターシャフトとの角度を調整可能なアタッチメントセット。 
【発明の詳細な説明】
【技術分野】
【０００１】
パターヘッドに関する物。
【背景技術】
【０００２】
本発明はゴルフのパットにおいてパターヘッドの最下部（ソール）に取替え可能な様々な厚みのアタッチメントを装着する事により打点の高さのカスタマイズを可能にし  パターフェースの芯にてボールの中心を捕らえやすくする。
【０００３】
同時にヘッド重量のカスタマイズも可能にし  そのグリーンに適したフィーリングを得られる。
【０００４】
またアタッチメントの種類において厚みの異なる部位を加えることにより  パターの傾斜角度の調整も可能にする。
【０００５】
その技術をあらゆるタイプのパターヘッドに当てはめる事が可能な様式。
【発明の開示】
【発明が解決しようとする課題】
【０００６】
ゴルフのパットにおいてパターフェースの芯にてボールの中心を捕らえる事は一定の距離感を得やすく  打ち出されたボールの転がりを安定させる。
【０００７】
しかしパターフェースの芯にボール中心を平面的に当てることは  可視できるので比較的に容易であるが  上下のブレに関しては感覚的な事項となるのでゴルファーはスイング時のパターヘッドの浮かし具合でボールの中心をパターヘッドの中心に当てる様に調整をする  しかもその浮かす距離は個々において様々である。
【０００８】
この場合ゴルファーの個々の感覚、パターヘッドの軌道のくせによりアドレス（始動時）の段階でパターヘッドの位置がどの高さにセットされているとパターフェースの芯でボールの中心を打つ確率が向上するかは現行のパターヘッドでは調整不可である。
【０００９】
ゴルフのパターを行うグリーンに関しては同一ゴルフ場であってさえ天候、芝の刈り込み方などによりボールの転がるスピードは日々様々であり  ましてゴルフ場が違う場合ではそれは  なおさらであり各ゴルファーは自分の思うボールの転がりを  現状両面テープにより鉛板などをパターヘッドに貼る事によりパターヘッドの重量を変えて対応している。
【００１０】
また構えた時のパターヘッドと体の距離を決定する要因としてパターの地面に対する角度があるが  通常のパターではその角度は容易には変えられない。
【課題を解決するための手段】
【００１１】
上記の課題を達成するため  本発明に係るパターヘッドはパターヘッドの下部（ソール）に様々なアタッチメントを取り付け可能にし  その多様な種類のアタッチメントを選択、取り付ける事により対応する。
【発明の効果】
【００１２】
パターヘッドのデザインは様々であるが  ほとんどのパターヘッドのソールは平面に近い形状であるので本発明のカスタマイズの手法はおおよそのパターヘッドに対応可能であり  比較的に大きなパターヘッドに対してはアタッチメントの固定箇所を増やす事により対応可能である。
【００１３】
本発明のパターヘッドは取り付けるアタッチメントの厚みを選択し取り付ける事によりボールの中心をパターフェースの芯で捕らえる確率が向上するパターヘッドの最下部と地面との距離を選択することが可能である。図４に示す様にボールとパターヘッドが当たる瞬間に地面から最下部が大きく離れるタイプのゴルファーには薄めのアタッチメントを  また図５に示す様に小さく離れるタイプのゴルファーには厚めのアタッチメントを装着すると  パターフェースの芯でボールの中心を打ち抜くにあたり有効である。
【００１４】
本発明のパターヘッドのアタッチメントに関しては様々な厚さの選択が可能であると同時に  同じ厚みのアタッチメントでも様々な材質で製作する事により  その比重の差を利用してパターヘッドの重さのカスタマイズも可能である。
【００１５】
図３に示すように本発明のアタッチメントに関してはその厚みを均一にせずにテーパーをつけたアタッチメント着用によりパターヘッドと地面との角度も調整できるものである。
【発明を実施するための最良の形態】
【００１６】
図２に示すようにパターヘッドのソール部分にアタッチメントを取り付け可能なパターヘッドに対してゴルファーが様々な厚み、重さのヴァリエーションのアタッチメントの中から選択した  最も調子の合うアタッチメントの取り付け、取り外しが容易に可能な形態
【００１７】
ボールをヒットする際の衝撃に対してアタッチメントが  ずれたり落ちたりしない取り付け方法と固定箇所数を有する形態。 
【図面の簡単な説明】
【００１８】
【図１】斜視図、
【図２】Ａ−ＡＡ  断面における分解図、Ｂ−ＢＢ  断面における分解図
【図３】個体に厚みに差のあるタイプのアタッチメント装着時の正面図
【図４】アドレス時から少しソールを浮かせてボールをヒットするタイプのゴルファーに厚さの厚いアタッチメントが有効である事を示した説明図
【図５】アドレス時から大きくソールを浮かせてボールヒットするタイプのゴルファーに厚さの薄いアタッチメントが有効である事を示した説明図
【符号の説明】
【００１９】
１−パターヘッド本体
２−アタッチメント
３−ソール
４−ゴルフボール
５−グリーン面
６−厚さの厚いアタッチメント
７−厚さの薄いアタッチメント
８−ボールの中心
９−ボールを打つ際のパターヘッド最下部とグリーン面との離れ方（大）
１０−ボールを打つ際のパターヘッド最下部とグリーン面との離れ方（小）
１１−パターの芯
１２−パターフェース 
【図１】
2009189687.tif 000003
【図２】
2009189687.tif 000004
【図３】
2009189687.tif 000005
【図４】
2009189687.tif 000006
【図５】
2009189687.tif 000007
(57)【要約】【課題】電気掃除機での掃除作業能率向上の為、吸込具の吸込み口を素早く別種の吸込み口に簡単に切り替えたい。例えば、床掃除中に家具等の隙間を手早く掃除をする場合、吸い込み口を吸気延長管から取り外して隙間を掃除し終了時再度組み立てていると手数もかかり時間もむだになる。【解決の手段】吸込み口の接続部に接続した吸気延長管を接続部から貫通させて突出し別種の吸込み口とする。床掃除に用いられている吸い込み口を吸気延長管から取り外さずにそのまま吸気延長管に沿って掃除機本体側に移動する。【選択図】図２
2009189673.tif 000002
【特許請求の範囲】
【請求項１】
吸気延長管の先端部分に取り付けた吸込み口を吸気延長管に沿って電気掃除機本体側に移動して吸気延長管の先端部分を別種の吸込み口とする電気掃除機の吸込み具。
【請求項２】
吸気延長管の先端部分に取り付けた吸込み口の接続部内側に、吸気延長管を貫通させて、吸込み口を吸気延長管の電気掃除機本体側に移動させ、吸気延長管の先端部分を別種の吸込み口とする請求項１に記載の電気掃除機の吸込み具とその吸込み具を用いた電気掃除機
【請求項３】
吸気延長管を電気掃除機本体に直接接続した請求項１及び請求項２に記載の電気掃除機の吸込み具とその吸込み具を用いた電気掃除機
【発明の詳細な説明】
【技術分野】
【０００１】
この発明は電気掃除機に用いられる吸込み具に係わるものである。
【背景技術】
【０００２】
現在の電気掃除機に用いられている吸込み具は、主として手元である把手より吸気延長管を設けて吸込み口を接続したものである。
【特許文献１】特開  ２００１−１９８０５８号
【特許文献２】特開  ２００４−３３７６３７号
【特許文献３】特開  ２００６−２５９２０号
【発明の開示】
【発明が解決しようとする課題】
【０００３】
吸気延長管に接続された吸込み口は掃除用途によって床用及び隙間用その他の用途用に付替えて使い分けられているが、主たる吸込み口は床用吸込み口と隙間用吸込み口である。それらの付替え方法は、改善がなされているが掃除場面は幾度もかわる。その都度の付換え行為は手数と煩わしさがある。
【課題を解決するための手段】
【０００４】
吸気延長管の先端部分に接続された吸込み口を、吸気延長管から取外さず、吸気延長管に沿って電気掃除機本体側に移動することによって吸気延長管を、接続された吸込み口よりも突出させ、突出した吸気延長管を別種の吸込み口にする。
【発明の効果】
【０００５】
使用中の吸込み口を、ただ移動するだけで、吸気延長管を別種の吸込み口とし、隙間用吸込み口、及び隅掃除用吸込み口、として利用できる。掃除場所及び掃除場面が幾度変わっても、その都度、吸込み口を吸気延長管から取外して分離し、再度組立て直す煩わしさが無く、また操作が俊敏にできるため作業能率が格段に上がる。この吸込み具は吸込み口が床用でなくても作動、効果は同じである。
【発明を実施するための最良の形態】
【０００６】
吸込み口の吸気延長管接続口に吸気延長管の先端部分を差込む、この状態で吸込み口が吸気延長管の先端部分で停止しているように固定する。この状態で吸込み口として使用する。次に固定を解除して吸気延長管に沿って吸込み口を電気掃除機本体側に移動させる。このとき吸気延長管は吸込み口よりも突出し別種の吸込み口になる。
【実施例】
【０００７】
図１のように吸込み口１の吸気延長管の接続部１ａに吸気延長管２の先端部を接続する。このとき接続部１ａに設けた固定具５によって固定する。これで吸込み具とする。固定具５の固定を解除し吸気延長管２に沿って図２のように電気掃除機本体側に吸込み口１を移動すれば吸気延長管２は吸込み口１より突出して別種の吸込み具になる。
【０００８】
図３、図４は固定具の一例である。固定具５の固定具片５aを押すことによって固定具５の鍵片５ｂは吸気延長管２の固定用レール２ａの溝から外れ吸込み口１は固定解除になり移動できる。また図４のように把手３の付近に固定することもできる。
【０００９】
図５、図6のように吸気延長管２に鍵片５ｂが嵌まり込む窪みを設ける事に依って吸込み口１を吸気延長管２に固定すれば固定用レール２ａは不要となる。また
吸気延長管２は真円でなく、その他の形状にできる。
【００１０】
図１０に示すように吸込み口１の接続部１aから吸気延長管２を突出させることもできる。吸込み口１の固定を解除して吸込み口１を電気掃除機本体方向に移動させれば仕切り蓋６は吸気延長管２に押されて開き吸気延長管２は吸込み口１より突出する。また元に戻すことによって仕切り蓋６は、ばね７によって閉じられる。
【００１１】
この電気掃除機の吸込み具は吸気延長管２を電気掃除機本体８に直接接続して使用することもできる。
【００１２】
以上は実施例でありこれに限定されるものでない。
【産業上の利用可能性】
【００１３】
発明の効果からみて、清掃作業の能率が向上することは明白と思われる。
【図面の簡単な説明】
【００１４】
【図１】吸込み口１が吸気延長管２の先端部分に固定されている状態の全体斜視図
【図２】吸込み口１を把手３の近くに移動した状態の全体斜視図
【図３】吸込み口１が吸気延長管２の先端部分に固定具５によって固定された斜視図
【図４】吸込み口１の接続口１ａに吸気延長管２の先端部を固定した横断面図
【図５】吸気延長管２に窪みを設けた吸込み口１の斜視図
【図６】吸気延長管２に窪みを設けた吸込み口１の横断面図
【図７】吸込み口１が把手３の近くで固定された断面図
【図８】接続部１ａより吸気延長管２を突出させる吸込み口を床面から見た図
【図９】接続部１ａより吸気延長管２を突出させる吸込み口の断面図
【図１０】接続部１ａより吸気延長管２を突出した状態の吸込み口の断面図
【図１１】電気掃除機本体に吸気延長管２を接続した図
【符号の説明】
【００１５】
１は、吸込み口
１ａは、吸込み口の接続部
２は、吸気延長管
２ａは、固定用レール
３は、把手
４は、延長ホース
５は、固定具
５ａは、固定具片
５ｂは、鍵片
６は、仕切り蓋
７は、バネ
８は、電気掃除機本体
【図１】
2009189673.tif 000003
【図２】
2009189673.tif 000004
【図３】
2009189673.tif 000005
【図４】
2009189673.tif 000006
【図５】
2009189673.tif 000007
【図６】
2009189673.tif 000008
【図７】
2009189673.tif 000009
【図８】
2009189673.tif 000010
【図９】
2009189673.tif 000011
【図１０】
2009189673.tif 000012
【図１１】
2009189673.tif 000013